(57)【要約】【課題】鍵の種類を問わず個人が所有するさまざまな鍵を撮影した写真を安全に電子アルバム化する。【解決手段】鍵写真電子アルバム（１０）は、背景とともに撮影された鍵の写真から鍵画像を切り出し、ダミー画像で補完してダミー写真を生成する写真ダミー化部（１１）と、第１のストレージ（１０１）に鍵の写真のメタデータとともにダミー写真を格納し、第２のストレージ（１０２）に、ダミー写真に紐づけて、鍵の写真における鍵画像の相対位置とともに鍵画像を格納する写真格納制御部（１２）と、第１のストレージから任意のダミー写真を読み出し、第２のストレージから当該読み出したダミー写真に紐付けられた鍵画像および相対位置を読み出し、読み出したダミー写真において読み出した相対位置に読み出した鍵画像を貼り付けて元の鍵の写真を復元する写真復元部（１３）と、復元された元の鍵の写真を表示デバイスに転送する写真転送部（１４）とを備えている。【選択図】図１
2020046592.tif 000002
【特許請求の範囲】
【請求項１】
背景とともに撮影された鍵の写真において前記鍵を含む部分画像である鍵画像を切り出し、前記鍵画像が切り出された領域をダミー画像で補完してダミー写真を生成する写真ダミー化部と、
第１のストレージに前記鍵の写真の撮影場所や撮影日時などのメタデータとともに前記ダミー写真を格納し、第２のストレージに、前記ダミー写真に紐づけて、前記鍵の写真における前記鍵画像の相対位置とともに前記鍵画像を格納する写真格納制御部と、
前記第１のストレージから任意の前記ダミー写真を読み出し、前記第２のストレージから前記読み出したダミー写真に紐付けられた前記鍵画像および前記相対位置を読み出し、前記読み出したダミー写真において前記読み出した相対位置に前記読み出した鍵画像を貼り付けて元の鍵の写真を復元する写真復元部と、
前記復元された元の鍵の写真を表示デバイスに転送する写真転送部とを備えた鍵写真電子アルバム。
【請求項２】
前記写真復元部が、利用者から撮影場所や撮影日時などの検索条件を受けて、前記第１のストレージにおいて前記検索条件に合致するメタデータを持つダミー写真を見つけて前記第１のストレージから読み出すように構成されている、請求項１に記載の鍵写真電子アルバム。
【請求項３】
前記写真ダミー化部が、前記鍵画像を加工して前記ダミー画像を生成するように構成されている、請求項１または２に記載の鍵写真電子アルバム。
【請求項４】
前記鍵が、メカニカルキー、リモコンキーおよびカードキーの少なくとも一つを含む、請求項１ないし３のいずれかに記載の鍵写真電子アルバム。
【請求項５】
背景とともに撮影された鍵の写真において前記鍵を含む部分画像である鍵画像を切り出し、前記鍵画像が切り出された領域をダミー画像で補完してダミー写真を生成する写真ダミー化部、
第１のストレージに前記鍵の写真の撮影場所や撮影日時などのメタデータとともに前記ダミー写真を格納し、第２のストレージに、前記ダミー写真に紐づけて、前記鍵の写真における前記鍵画像の相対位置とともに前記鍵画像を格納する写真格納制御部、
前記第１のストレージから任意の前記ダミー写真を読み出し、前記第２のストレージから前記読み出したダミー写真に紐付けられた前記鍵画像および前記相対位置を読み出し、前記読み出したダミー写真において前記読み出した相対位置に前記読み出した鍵画像を貼り付けて元の鍵の写真を復元する写真復元部、および
前記復元された元の鍵の写真を表示デバイスに転送する写真転送部としてとしてコンピュータを機能させる鍵写真電子アルバム化プログラム。
【請求項６】
前記写真復元部が、利用者から撮影場所や撮影日時などの検索条件を受けて、前記第１のストレージにおいて前記検索条件に合致するメタデータを持つダミー写真を見つけて前記第１のストレージから読み出す、請求項５に記載の鍵写真電子アルバム化プログラム。
【請求項７】
前記写真ダミー化部が、前記鍵画像を加工して前記ダミー画像を生成する、請求項５または６に記載の鍵写真電子アルバム化プログラム。
【請求項８】
前記鍵が、メカニカルキー、リモコンキーおよびカードキーの少なくとも一つを含む、請求項５ないし７のいずれかに記載の鍵写真電子アルバム化プログラム。
【請求項９】
背景とともに撮影された鍵の写真において前記鍵を含む部分画像である鍵画像を切り出すステップと、
前記鍵画像が切り出された領域をダミー画像で補完してダミー写真を生成するステップと、
第１のストレージに前記鍵の写真の撮影場所や撮影日時などのメタデータとともに前記ダミー写真を格納するステップと、
第２のストレージに、前記ダミー写真に紐づけて、前記鍵の写真における前記鍵画像の相対位置とともに前記鍵画像を格納するステップと、
前記第１のストレージから任意の前記ダミー写真を読み出すステップと、
前記第２のストレージから前記読み出したダミー写真に紐付けられた前記鍵画像および前記相対位置を読み出すステップと、
前記読み出したダミー写真において前記読み出した相対位置に前記読み出した鍵画像を貼り付けて元の鍵の写真を復元するステップと、
前記復元された元の鍵の写真を表示デバイスに転送するステップとを備えた鍵写真電子アルバム化方法。
【請求項１０】
前記第１のストレージから任意の前記ダミー写真を読み出すステップにおいて、利用者から撮影場所や撮影日時などの検索条件を受けて、前記第１のストレージにおいて前記検索条件に合致するメタデータを持つダミー写真を見つけて前記第１のストレージから読み出す、請求項９に記載の鍵写真電子アルバム化方法。
【請求項１１】
前記鍵画像を加工して前記ダミー画像を生成するステップをさらに備えている、請求項９または１０に記載の鍵写真電子アルバム化方法。
【請求項１２】
前記鍵が、メカニカルキー、リモコンキーおよびカードキーの少なくとも一つを含む、請求項９ないし１１のいずれかに記載の鍵写真電子アルバム化方法。
【発明の詳細な説明】
【技術分野】
【０００１】
本発明は、個人が所有するさまざまな鍵を撮影してその写真を電子アルバム化する技術に関する。
【背景技術】
【０００２】
玄関の鍵、部屋の鍵、金庫の鍵、倉庫の鍵、車の鍵、車庫の鍵、バイクの鍵といったように身の回りにはさまざまな鍵がある。所有する鍵が多くなると一体どれが何の鍵かわからなくなってしまう。そこで鍵を適切に整理する必要がある。
【０００３】
典型的には鍵にキーホルダーを付けることで鍵を整理することができる。最近ではクラウド型キーホルダーというものもある。例えば、鍵をスキャンしてその画像をクラウドに保存しておいて、必要に応じてスキャン画像から合鍵を作成する仕組みである（例えば、非特許文献１参照）。
【先行技術文献】
【非特許文献】
【０００４】
【非特許文献１】Eliza Brooke、翻訳：Maeda, H、“なくしてしまった鍵のコピーを作成するKeyMe。ハードウェアとの連動で業界を革新?!”、［online］、２０１３年８月９日、TechCrunch Japan、［２０１８年７月２７日検索］、インターネット〈URL: https://jp.techcrunch.com/2013/08/09/20130808nyc-startup-keyme-releases-an-app-that-promises-youll-never-get-locked-out-again/〉
【発明の概要】
【発明が解決しようとする課題】
【０００５】
キーホルダーによる鍵の整理ではキーホルダーに必要な情報を表記するのが手間である。また、鍵にキーホルダーを付けると鍵が多くなった場合にキーホルダーがかさばって邪魔になる。
【０００６】
一方、非特許文献１のようなクラウド型キーホルダーは、鍵を撮影するだけで容易に鍵の整理を行うことができる。しかし、鍵の写真を見ただけではそれが何の鍵なのかわからないことがある。また、鍵の写真が流出してしまうと他人に合鍵を作られるおそれがある。さらに、鍵の写真に撮影場所などのメタデータが含まれていると、その鍵の使用場所が特定されるおそれもある。また、鍵の複製を目的としていることから、クラウド型キーホルダーが対象とする鍵はメカニカルキーであり、リモコンキーやカードキーといった電子キーは対象外である。
【０００７】
上記問題に鑑み、本発明は、鍵の種類を問わず個人が所有するさまざまな鍵を撮影した写真を安全に電子アルバム化することを課題とする。
【課題を解決するための手段】
【０００８】
本発明の一局面に従うと、背景とともに撮影された鍵の写真において鍵を含む部分画像である鍵画像を切り出し、鍵画像が切り出された領域をダミー画像で補完してダミー写真を生成する写真ダミー化部と、第１のストレージに鍵の写真の撮影場所や撮影日時などのメタデータとともにダミー写真を格納し、第２のストレージに、ダミー写真に紐づけて、鍵の写真における鍵画像の相対位置とともに鍵画像を格納する写真格納制御部と、第１のストレージから任意のダミー写真を読み出し、第２のストレージから当該読み出したダミー写真に紐付けられた鍵画像および相対位置を読み出し、読み出したダミー写真において読み出した相対位置に読み出した鍵画像を貼り付けて元の鍵の写真を復元する写真復元部と、復元された元の鍵の写真を表示デバイスに転送する写真転送部とを備えた鍵写真電子アルバムが提供される。
【０００９】
写真復元部は、利用者から撮影場所や撮影日時などの検索条件を受けて、第１のストレージにおいて検索条件に合致するメタデータを持つダミー写真を見つけて第１のストレージから読み出すように構成されていてもよい。
【００１０】
写真ダミー化部は、鍵画像を加工してダミー画像を生成するように構成されていてもよい。
【００１１】
鍵は、メカニカルキー、リモコンキーおよびカードキーの少なくとも一つを含み得る。
【００１２】
本発明の別の局面に従うと、コンピュータ上で上記鍵写真電子アルバムを実現させるためのコンピュータプログラムである鍵写真電子アルバム化プログラムが提供される。
【００１３】
また、本発明のさらに別の局面に従うと、上記鍵写真電子アルバムに対応する鍵写真電子アルバム化方法が提供される。
【発明の効果】
【００１４】
本発明によると、鍵の種類を問わず個人が所有するさまざまな鍵を撮影した写真を安全に電子アルバム化することができる。
【図面の簡単な説明】
【００１５】
【図１】本発明の一実施形態に係る鍵写真電子アルバムのブロック図
【図２】鍵写真電子アルバムにおける鍵の写真の変遷を示す模式図
【図３】鍵の写真の電子アルバム化手順を示すフローチャート
【図４】電子アルバム化された鍵の写真の提示手順を示すフローチャート
【発明を実施するための形態】
【００１６】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１７】
なお、発明者は、当業者が本発明を十分に理解するために添付図面および以下の説明を提供するのであって、これらによって特許請求の範囲に記載の主題を限定することを意図するものではない。
【００１８】
本発明に係る鍵写真電子アルバム、鍵写真電子アルバム化プログラムおよび鍵写真電子アルバム化方法は、個人が所有するさまざまな鍵を撮影した写真を蓄積・整理すなわち電子アルバム化し、利用者の求めに応じて、蓄積・整理した鍵の写真を利用者に提示するというものである。本発明が取り扱う「鍵」は、シリンダー錠に代表される機械錠の鍵（メカニカルキー）に限定されず、リモコンキーやカードキーなどの電子タイプの鍵も含み得る。すなわち、本発明に係る鍵写真電子アルバム、鍵写真電子アルバム化プログラムおよび鍵写真電子アルバム化方法において鍵のタイプ、形状、大きさは問わない。
【００１９】
≪構成≫
図１は、本発明の一実施形態に係る鍵写真電子アルバム１０のブロック図である。図２は、鍵写真電子アルバム１０における鍵の写真の変遷を示す模式図である。鍵写真電子アルバム１０は、クラウド環境１００に配置してＳａａＳ（Software as a Service）の形態でサービスを提供することができる。このサービスの利用者は、スマートフォンやタブレット端末などのユーザー端末２０で自身が所有するさまざまな鍵を撮影し、その鍵の写真２０１をクラウド環境１００にアップロードする。アップロードされる鍵の写真２０１にメモが付されていてもよい。利用者は、鍵の写真２０１に写った鍵の説明のために、ユーザー端末２０の入力インターフェイスを通じて鍵の写真２０１に手書きのメモやソフトキーボードで入力したメモを付したり、さらには音声メモを付したりすることができる。鍵写真電子アルバム１０は、クラウド環境１００にアップロードされた鍵の写真２０１を蓄積・整理する。そして、利用者は、鍵写真電子アルバム１０に蓄積・整理された鍵の写真の中から目的の写真を探してユーザー端末２０に呼び出して見ることができる。メモ付きの鍵の写真２０１の場合には、利用者は、ユーザー端末２０において、鍵の写真２０１に付された手書メモを見たり音声メモを聞いたりすることができる。
【００２０】
具体的に、鍵写真電子アルバム１０は、写真ダミー化部１１と、写真格納制御部１２と、写真復元部１３と、写真転送部１４とを備えている。鍵写真電子アルバム１０を構成するこれら要素の一部または全部は、クラウド環境１００にある図略のサーバー装置に専用のコンピュータプログラム（鍵写真電子アルバム化プログラム）を実行させて実現することができる。また、鍵写真電子アルバム１０を構成するこれら要素の一部または全部をＡＳＩＣ（Application Specific Integrated Circuit）やＦＰＧＡ（Field Programmable Gate Array）などのハードウェアで実現してもよい。
【００２１】
写真ダミー化部１０は、ユーザー端末２０からアップロードされた鍵の写真２０１を受け、その鍵の写真２０１において鍵を含む部分画像である鍵画像２０２を切り出し、鍵画像２０２が切り出された領域をダミー画像２０３で補完してダミー写真２０４を生成する。すなわち、ダミー写真２０４には本物の鍵が写らないようにする。なお、例えば、ドアの鍵の場合にはそのドアとともにその鍵を撮影し、車やバイクの鍵の場合にはその車やバイクとともにその鍵を撮影するといったように、背景とともに鍵を撮影するものとする。これは利用者が後から鍵の写真を見たときに、それが何の鍵か、どこで使われているのかなどがわかるようにするためである。
【００２２】
鍵画像２０２の切り出し領域の選択は、写真ダミー化部１１が鍵の写真２０１を画像解析して鍵を認識して自動で行うようにしてもよいし、利用者がユーザー端末２０の画面に表示された鍵の写真２０１を指でなぞって手動で行うようにしてもよい。また、鍵画像２０２の切り出し領域の形状は、典型的には矩形であるが、指でなぞっていわゆる投げ縄選択する場合には任意の形状であってよい。
【００２３】
ダミー画像２０３は、あらかじめ用意している鍵やその他のイラストでもよいし、写真ダミー化部１１が、切り出した鍵画像２０２にモザイク処理やぼかし処理などの加工を施して作り出してもよい。なお、イラストを用いる場合には、切り出した領域に合うようにイラストのサイズ調整を行う必要がある。
【００２４】
写真格納制御部１２は、クラウド環境１００にある第１のストレージ１０１に、写真ダミー化部１１が生成したダミー写真２０４を格納する。ここで、デジタル写真には撮影日時、解像度、ＩＳＯ感度などのメタデータ（Ｅｘｉｆ情報）が含まれている。特にユーザー端末２０にはＧＰＳ（Global Positioning System）機能が搭載されており、ユーザー端末２０で撮影された写真にはメタデータとしてその写真の撮影場所のＧＰＳ情報（緯度、経度、高度）が含まれている。写真格納制御部１２は、ユーザー端末２０からアップロードされた鍵の写真２０１に含まれる撮影場所や撮影日時などのメタデータ２０５も併せて第１のストレージ１０１に格納する。なお、鍵の写真２０１にメモ２０６が付されている場合には、写真格納制御部１２は、そのメモ２０６も併せて第１のストレージ１０１に格納する。  また、写真格納制御部１２は、クラウド環境１００にある第２のストレージ１０２に、第１のストレージ１０１に格納したダミー写真２０４に紐づけて、鍵の写真２０１における鍵画像２０２の相対位置２０７とともに鍵画像２０２を格納する。相対位置２０７として、例えば、鍵画像２０２の画像形状が矩形の場合には鍵の写真２０１の左上を原点として鍵画像２０２の左上の座標のオフセット位置を採用することができる。鍵画像２０２の画像形状が矩形以外の形状の場合には、鍵画像２０２を包含し得る最小の矩形領域を設定し、その矩形領域の左上の座標のオフセット位置を相対位置２０７として採用することができる。
【００２５】
第１のストレージ１０１および第２のストレージ１０２は、鍵写真電子アルバム１０とは独立した、例えばデータセンターに配置されたストレージを使用することができる。さらに、第１のストレージ１０１と第２のストレージ１０２とで別のデータセンターを使用することが好ましい。そうすることで、第１のストレージ１０１に格納されたダミー写真２０４と第２のストレージ１０２に格納された鍵画像２０２とが同時に流出する危険性を極めて小さくすることができるからである。
【００２６】
写真復元部１３は、第１のストレージ１０１から任意のダミー写真２０４を読み出し、第２のストレージ１０２から当該読み出したダミー写真２０４に紐付けられた鍵画像２０２および相対位置２０７を読み出し、読み出したダミー写真２０４において読み出した相対位置２０７に読み出した鍵画像２０２を貼り付けて元の鍵の写真２０１を復元する。
【００２７】
利用者は、ユーザー端末２０の画面に表示されるＧＵＩ（Graphical User Interface）を通じて、鍵の写真の撮影時期や撮影場所などの検索条件を指定して、鍵写真電子アルバム１０に保存した鍵の写真を検索することができる。この場合、写真復元部１３は、ユーザー端末２０から検索条件を受けて、第１のストレージ１０１において当該検索条件に合致するメタデータを持つダミー写真２０４を見つけて第１のストレージ１０１から読み出して元の鍵の写真２０１を復元する。
【００２８】
写真転送部１４は、写真復元部１３によって復元された元の鍵の写真２０１をユーザー端末２０に転送する。ユーザー端末２０に転送された鍵の写真２０１はユーザー端末２０の画面に表示され利用者が見ることができる。また、元の鍵の写真２０１にメモ２０６が付されている場合には、利用者は、ユーザー端末２０においてそのメモ２０６を見たり聞いたりすることができる。
【００２９】
≪動作≫
鍵写真電子アルバム１０の動作について説明する。まず、鍵写真電子アルバム１０による鍵の写真の電子アルバム化処理について説明する。図３は、鍵の写真の電子アルバム化手順を示すフローチャートである。まず、写真ダミー化部１１が、ユーザー端末２０からアップロードされた鍵の写真２０１から鍵画像２０２を切り出す（Ｓ１１）。鍵画像２０２が切り出されると、写真ダミー化部１１が、鍵画像２０２を加工してダミー画像２０３を生成する（Ｓ１２）。ダミー画像２０３が生成されると、写真ダミー化部１１が、鍵画像２０２が切り出された領域をダミー画像２０３で補完してダミー写真２０４を生成する（Ｓ１３）。なお、あらかじめ用意しているイラストをダミー画像２０３として使用するのであればステップＳ１２は省略可能である。ダミー写真２０４が生成されると、写真格納制御部１２が、第１のストレージ１０１に鍵の写真２０１のメタデータ２０５とともにダミー写真２０４を格納し、第２のストレージ１０２に、ダミー写真２０４に紐づけて、鍵の写真２０１における鍵画像２０２の相対位置２０７とともに鍵画像２０２を格納する（Ｓ１４）。
【００３０】
このように、鍵写真電子アルバム１０は、ユーザー端末２０からアップロードされた鍵の写真２０１をそのまま保存するのではなく、鍵の写真２０１から鍵を含む部分画像である鍵画像２０２を切り出し、それをダミー画像２０３に置き換えてダミー写真２０４を生成し、ダミー写真２０４と鍵画像２０２を別々のストレージ（第１のストレージ１０１および第２のストレージ１０２）に保存する。
【００３１】
なお、利用者は不要になったダミー写真２０４を第１のストレージ１０１から削除することができる。写真格納制御部１２は、利用者からの要求に従って、第１のストレージ１０１に保存されている任意のダミー写真２０４およびメタデータ２０５を削除する。その場合、写真格納制御部１２は、そのダミー写真２０４に対応する鍵画像２０２および相対位置２０７を第２のストレージ１０２から削除する。
【００３２】
次に、鍵写真電子アルバム１０による鍵の写真の提示処理について説明する。図４は、電子アルバム化された鍵の写真の提示手順を示すフローチャートである。まず、写真復元部１３が、ユーザー端末２０から鍵の写真の撮影時期や撮影場所などの検索条件を受け付けて（Ｓ２１）、第１のストレージ１０１において当該検索条件に合致するメタデータを持つダミー写真２０４を見つけて第１のストレージ１０１から読み出す（Ｓ２２）。続けて、写真復元部１３が、第２のストレージ１０２から当該読み出したダミー写真２０４に紐付けられた鍵画像２０２および相対位置２０７を読み出す（Ｓ２３）。さらに続けて、写真復元部１３が、読み出したダミー写真２０４において読み出した相対位置２０７に読み出した鍵画像２０２を貼り付けて元の鍵の写真２０１を復元する（Ｓ２４）。元の鍵の写真２０１が復元されると、写真転送部１４が、復元された元の鍵の写真２０１をユーザー端末２０に転送する（Ｓ２５）。これにより、ユーザー端末２０の画面に鍵の写真２０１が表示される。
【００３３】
このように、鍵写真電子アルバム１０は、利用者から鍵の写真２０１の提示要求があった場合には、第１のストレージ１０１からダミー写真２０４を読み出し、第２のストレージ１０２から鍵画像２０２を読み出し、それらから元の鍵の写真２０１を復元してユーザー端末２０に転送する。
【００３４】
≪効果≫
本実施形態に係る鍵写真電子アルバム１０によると、ユーザー端末２０からアップロードされた鍵の写真２０１において鍵を含む部分画像である鍵画像２０２がダミー画像２０３に置き換えられてダミー写真２０４が生成され、ダミー写真２０４と鍵画像２０２とに分けられて別々のストレージ（第１のストレージ１０１および第２のストレージ１０２）に格納される。これにより、第１のストレージ１０１または第２のストレージ１０２からデータが流出したとしてもダミー写真２０４かまたは鍵画像２０２が他人に知られるだけであり、背景とともに鍵を撮影した鍵の写真２０１が他人に晒されるという危険性がない。
【００３５】
また、利用者が鍵写真電子アルバム１０に保存した鍵の写真２０１を見たい場合には、ダミー写真２０４と鍵画像２０２から元の鍵の写真２０１が復元されて利用者に提示されるため、利用者は、ダミー写真２０４と鍵画像２０２に分けられて保存されていることを意識することなく、鍵の写真２０１を閲覧することができる。すなわち、本実施形態に係る鍵写真電子アルバム１０によると、利用者の利便性を損ねることなく安全に鍵の写真２０１を電子アルバム化することができる。
【００３６】
さらに、メモ２０６が付された鍵の写真２０１を電子アルバム化することで、鍵の写真２０１に写った鍵の使用場所がその写真の撮影場所とは違っているとか、他人から預かった鍵であるといったように、鍵の写真２０１からだけではわからない情報を鍵の写真２０１に付け加えることができ、利用者の利便性を向上させることができる。
【００３７】
≪変形例≫
上記では、鍵写真電子アルバム１０は、クラウド環境１００に配置せずにユーザー端末２０あるいはその他のスタンドアロンのコンピュータのアプリとして実施することができる。その場合、ユーザー端末２０あるいはその他のスタンドアロンのコンピュータが有するメモリやストレージあるいは外付けのメモリやストレージなどを第１のストレージ１０１および第２のストレージ１０２として用いてもよいし、クラウド環境１００にある第１のストレージ１０１および第２のストレージ１０２を用いてもよい。あるいは、第１のストレージ１０１および第２のストレージ１０２のいずれか一方をユーザー端末２０あるいはその他のスタンドアロンのコンピュータ側のものを用い、他方をクラウド環境１００に配置されたものを用いるようにしてもよい。
【００３８】
以上のように、本発明における技術の例示として、実施の形態を説明した。そのために、添付図面および詳細な説明を提供した。
【００３９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４０】
また、上述の実施の形態は、本発明における技術を例示するためのものであるから、特許請求の範囲またはその均等の範囲において種々の変更、置き換え、付加、省略などを行うことができる。
【符号の説明】
【００４１】
１０…鍵写真電子アルバム、１１…写真ダミー化部、１２…写真格納制御部、１３…写真復元部、１４…写真転送部、２０…ユーザー端末（表示デバイス）、１０１…第１のストレージ、１０２…第２のストレージ、２０１…鍵の写真、２０２…鍵画像、２０３…ダミー画像、２０４…ダミー写真、２０５…メタデータ、２０７…相対位置
【図１】
2020046592.tif 000003
【図２】
2020046592.tif 000004
【図３】
2020046592.tif 000005
【図４】
2020046592.tif 000006
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
背景とともに撮影された鍵の写真において前記鍵を含む部分画像である鍵画像を切り出し、前記鍵画像が切り出された領域をダミー画像で補完してダミー写真を生成する写真ダミー化部と、
第１のストレージに前記鍵の写真のメタデータとともに前記ダミー写真を格納し、第２のストレージに、前記ダミー写真に紐づけて、前記鍵の写真における前記鍵画像の相対位置とともに前記鍵画像を格納する写真格納制御部と、
前記第１のストレージから任意の前記ダミー写真を読み出し、前記第２のストレージから前記読み出したダミー写真に紐付けられた前記鍵画像および前記相対位置を読み出し、前記読み出したダミー写真において前記読み出した相対位置に前記読み出した鍵画像を貼り付けて元の鍵の写真を復元する写真復元部と、
前記復元された元の鍵の写真を表示デバイスに転送する写真転送部とを備えた鍵写真電子アルバム。
【請求項２】
前記写真復元部が、利用者から検索条件を受けて、前記第１のストレージにおいて前記検索条件に合致するメタデータを持つダミー写真を見つけて前記第１のストレージから読み出すように構成されている、請求項１に記載の鍵写真電子アルバム。
【請求項３】
前記写真ダミー化部が、前記鍵画像を加工して前記ダミー画像を生成するように構成されている、請求項１または２に記載の鍵写真電子アルバム。
【請求項４】
前記鍵が、メカニカルキー、リモコンキーおよびカードキーの少なくとも一つを含む、請求項１ないし３のいずれかに記載の鍵写真電子アルバム。
【請求項５】
背景とともに撮影された鍵の写真において前記鍵を含む部分画像である鍵画像を切り出し、前記鍵画像が切り出された領域をダミー画像で補完してダミー写真を生成する写真ダミー化部、
第１のストレージに前記鍵の写真のメタデータとともに前記ダミー写真を格納し、第２のストレージに、前記ダミー写真に紐づけて、前記鍵の写真における前記鍵画像の相対位置とともに前記鍵画像を格納する写真格納制御部、
前記第１のストレージから任意の前記ダミー写真を読み出し、前記第２のストレージから前記読み出したダミー写真に紐付けられた前記鍵画像および前記相対位置を読み出し、前記読み出したダミー写真において前記読み出した相対位置に前記読み出した鍵画像を貼り付けて元の鍵の写真を復元する写真復元部、および
前記復元された元の鍵の写真を表示デバイスに転送する写真転送部としてとしてコンピュータを機能させる鍵写真電子アルバム化プログラム。
【請求項６】
前記写真復元部が、利用者から検索条件を受けて、前記第１のストレージにおいて前記検索条件に合致するメタデータを持つダミー写真を見つけて前記第１のストレージから読み出す、請求項５に記載の鍵写真電子アルバム化プログラム。
【請求項７】
前記写真ダミー化部が、前記鍵画像を加工して前記ダミー画像を生成する、請求項５または６に記載の鍵写真電子アルバム化プログラム。
【請求項８】
前記鍵が、メカニカルキー、リモコンキーおよびカードキーの少なくとも一つを含む、請求項５ないし７のいずれかに記載の鍵写真電子アルバム化プログラム。
【請求項９】
コンピュータが鍵の写真を電子アルバム化する方法であって、
背景とともに撮影された鍵の写真において前記鍵を含む部分画像である鍵画像を切り出すステップと、
前記鍵画像が切り出された領域をダミー画像で補完してダミー写真を生成するステップと、
第１のストレージに前記鍵のメタデータとともに前記ダミー写真を格納するステップと、
第２のストレージに、前記ダミー写真に紐づけて、前記鍵の写真における前記鍵画像の相対位置とともに前記鍵画像を格納するステップと、
前記第１のストレージから任意の前記ダミー写真を読み出すステップと、
前記第２のストレージから前記読み出したダミー写真に紐付けられた前記鍵画像および前記相対位置を読み出すステップと、
前記読み出したダミー写真において前記読み出した相対位置に前記読み出した鍵画像を貼り付けて元の鍵の写真を復元するステップと、
前記復元された元の鍵の写真を表示デバイスに転送するステップとを備えた鍵写真電子アルバム化方法。
【請求項１０】
前記第１のストレージから任意の前記ダミー写真を読み出すステップにおいて、利用者から検索条件を受けて、前記第１のストレージにおいて前記検索条件に合致するメタデータを持つダミー写真を見つけて前記第１のストレージから読み出す、請求項９に記載の鍵写真電子アルバム化方法。
【請求項１１】
前記鍵画像を加工して前記ダミー画像を生成するステップをさらに備えている、請求項９または１０に記載の鍵写真電子アルバム化方法。
【請求項１２】
前記鍵が、メカニカルキー、リモコンキーおよびカードキーの少なくとも一つを含む、請求項９ないし１１のいずれかに記載の鍵写真電子アルバム化方法。